(57)【要約】【課題】原子力発電所の事故で原子炉に生成した炉心溶融物（デブリ）から放射性物質のウラン、プルトニウムを取り除くところにある。【解決手段】最初に、還元電圧回路１６に通電して原子炉圧力容器１１に還元電圧をかける還元工程と、次に、その還元電圧回路１６に通電を切り、そのウランの単体を、水１９と反応させてウラニルイオンの錯体に、そのプルトニウムの単体をその水１９の中で酸素と反応して後、配位子と結合して電荷を持つ錯体にそれぞれなしてその水１９に溶け込ませる溶解工程とになる。【選択図】図１
2019124673.tif 000002
【特許請求の範囲】
【請求項１】
炉心溶融物（デブリ）が、原子力発電所の事故で容器底部に止まる原子炉圧力容器または可能な場合でそのデブリに還元電圧回路を電気的に接続するところで、最初に、その還元電圧回路に通電してその圧力容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すところの放射性物質の除去方法。
【請求項２】
金属容器が、予め還元電圧回路を電気的に接続し、そして、水を供給取り出しながら炉心溶融物（デブリ）を入れてあるまたはそのデブリが、その金属容器の水の中に入れられてその還元電圧回路を電気的に接続するところで、最初に、その還元電圧回路に通電してその金属容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すところの放射性物質の除去方法。
【発明の詳細な説明】
【技術分野】
【０００１】  この発明は、放射性物質の除去方法に関し、詳細には、原子力発電所事故で生成した炉心溶融物、所謂、デブリから放射性物質を除去する方法に関する。
【背景技術】
【０００２】  原子力発電所の事故では、炉心溶融物の固化した塊、所謂、デブリが生成される。
このデブリは、ウラン（Ｕ）、プルトニウム（Ｐｕ）の酸化物（ＵＯ、ＰｕＯ）、炭化物（ＵＣ、ＰｕＣ）、窒化物（ＵＮ、ＰｕＮ）からなる放射性物質を核燃料に用いる核燃料集合体と炉心構造物の溶融固化した塊で、その主成分が、ウラン（Ｕ）、とジルコニウム（Ｚｒ）の酸化物（（ＵＺｒ）Ｏ２）と炉心構造物の金属であるので、それら放射性物質は取り除いて処理せねばならない。
また、このデブリは、原子炉圧力容器の底部に止まる場合もあり、さらには、その原子炉格納容器に達する場合もある。
現状では、このデブリは、炉心を解体し、取り出して処理する方針のようであるが、それが硬い塊であるので、その作業は多くの困難を伴うように予測される。
【先行技術文献】
【０００３】
【特許文献】
【特許文献】（非）特許文献ｎ
【発明の概要】
【発明が解決しようとする課題】
【０００４】  この発明の課題は、原子力発電所事故で生成した炉心溶融物（デブリ）から放射性物質を錯体として水溶液に溶け込ませて取り除き、その錯体を電気化学的に析出させて処理可能にして、廃炉作業に多くの困難を伴わずにその作業を安全にして迅速にでき、また、そのデブリに残る金属を金属廃棄物同様に電気化学的析出により処理可能にするところにある。
【課題を解決する手段】
【０００５】  この発明の放射性物質の除去方法は、炉心溶融物（デブリ）が、原子力発電所の事故で容器底部に止まる原子炉圧力容器または可能な場合でそのデブリに還元電圧回路を電気的に接続するところで、最初に、その還元電圧回路に通電してその圧力容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すところにある。
【０００６】  また、この発明の放射性物質の除去方法は、金属容器が、予め還元電圧回路を電気的に接続し、そして、水を供給取り出しながら炉心溶融物（デブリ）を入れてあるまたはそのデブリが、その金属容器の水の中に入れられてその還元電圧回路を電気的に接続するところで、最初に、その還元電圧回路に通電してその金属容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すところにある。
【発明の効果】
【０００７】  この発明の放射性物質の除去方法では、放射性物質が原子力発電所事故で生成した炉心溶融物（デブリ）から錯体として水に溶け込ませられて取り除かれ、そして、その錯体を電気化学的に析出させて処理可能にされ、廃炉作業が多くの困難を伴わずに安全にして迅速にでき、また、そのデブリに残る金属が金属廃棄物同様に電気化学的析出により処理可能になり、その結果、そのデブリの除去に実用になって有用である。
【図面の簡単な説明】
【０００８】
【図１】原子力発電所事故でメルトダウンした原子炉の圧力容器に活用されるところのこの発明の放射性物質の除去方法の具体例を示した縦断面模式図である。
【図２】原子力発電所事故でメルトダウンした原子炉に活用されるところのこの発明の放射性物質の除去方法の別の具体例を示した縦断面模式図である。
【発明を実施するための形態】
【０００９】  この発明の放射性物質の除去方法は、炉心溶融物（デブリ）が、原子力発電所の事故で容器底部に止まる原子炉圧力容器または可能な場合でそのデブリに還元電圧回路を電気的に接続するところで、最初に、その還元電圧回路に通電してその圧力容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出し、具体的には、モニターしながら錯体がその取り出す水溶液中にネグリジブスモールになるまでその還元工程および溶解工程を繰り返す。
【００１０】  また、この発明の放射性物質の除去方法は、金属容器が、予め還元電圧回路を電気的に接続し、そして、水を供給取り出しながら炉心溶融物（デブリ）を入れてあるまたはそのデブリが、その金属容器の水の中に入れられてその還元電圧回路を電気的に接続するところで、最初に、その還元電圧回路に通電してその金属容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出し、具体的には、モニターしながらその錯体がその取り出す水溶液中にネグリジブスモールになるまでその還元工程および溶解工程を繰り返す。
【実施例１】
【００１１】  以下、特定されて図示された具体例に基づいて、この発明の放射性物質の除去方法を説明するに、図１は、原子力発電所の事故で、原子炉圧力容器内に生成した炉心溶融物の塊、所謂、デブリに活用されるところのこの発明の放射性物質の除去方法の具体例１０を示す。
この放射性物質の除去方法１０では、そのデブリ３１は、ウラン（Ｕ）、プルトニウム（Ｐｕ）、の酸化物（ＵＯ、ＰｕＯ）、炭化物（ＵＣ、ＰｕＣ）、窒化物（ＵＮ、ＰｕＮ）からなる放射性物質の核燃料に用いる核燃料集合体と炉心構造物の溶融固化した塊で、このデブリ３１の主成分は、ウラン（Ｕ）とジルコニウム（Ｚｒ）の酸化物（セラミック、（ＵＺｒ）Ｏ２）と炉心構造物の金属である。
そして、ウラン（Ｕ）、プルトニウム（Ｐｕ）はそのままの単体として存在させると、水、酸素などと化学反応をしてしまうために酸化、炭化、窒化させ、これ以上化学反応を起せない安定的な状態にしてある。
また、このように、このデブリ３１には、放射性物質のウラン（Ｕ）、プルトニウム（Ｐｕ）が含まれるので、この放射性物質が取り除ければ、後はそのデブリ３１は、金属廃棄物同様に処理可能になる。【００１２】  そこで、先ず、核燃料のウラン（Ｕ）、プルトニウム（Ｐｕ）の状態、性質に着目してその放射性物質のウラン（Ｕ）、プルトニウム（Ｐｕ）を取り除く基本原理について説明する。
そして、それは、デブリ３１が原子力発電所の事故で原子炉圧力容器１１内に生成され、そして、その圧力容器１１の水の中にある状態と、原子炉を経由して又は直接そのデブリ３１に電子を与えられるための電圧をかけることを前提とする。
つまり、その電圧をかけて、電子を与えて還元することによりもたらされる効果、すなわち、金属製原子炉に何等影響を与えず、それの強度をほとんど低下させることもなく、また、そのデブリ３１または酸化された部分にしかその効果が表れない特性を持っているところにある。【００１３】  それでは、そのウラン（Ｕ）とそのジルコニウム（Ｚｒ）の酸化物（セラミック、（ＵＺｒ）Ｏ２）の処理から説明を始める。
そのウラン（Ｕ）も、そのジルコニウム（Ｚｒ）も直流電圧をかけると、電子を与えられて還元され、ウラン（Ｕ）、ジルコニウム（Ｚｒ）の単体となってそのデブリ３１内に析出する。
その後、その還元電圧がかけられなくなると、すなわち、その還元電圧が切られると、そのウラン（Ｕ）は水と反応しやすく、その水１９と反応してウラニルイオン（ＵＯ２２＋）の錯体となり、その水１９の中に溶け出してしまいます。そして、同時に、そのジルコニウム（Ｚｒ）は、比較的に安定な物質であるためにそのデブリ３１に単体のまま存在する。【００１４】  また、ウラン（Ｕ）の炭化物、窒化物は、酸素（Ｏ）と同様に、炭素（Ｃ）、窒素（Ｎ）とウラン（Ｕ）の化合物の結合が、ウラン（Ｕ）の酸化物の結合とほぼ同じであるので、そのウラン（Ｕ）の炭化物、窒化物も電圧をかけられ、還元されてウラン（Ｕ）の単体になってそのデブリ３１内に析出する。
そして、その還元電圧が切られると、そのウラン（Ｕ）は、水１９と反応してウラニルイオン（ＵＯ２２＋）の錯体となり、水１９の中に溶け出す。【００１５】  一方、そのプルトニウム（Ｐｕ）の酸化物、炭化物、窒化物は、そのウラン（Ｕ）の酸化物、炭化物、窒化物と同様に直流電圧がかけられると、還元され、そして、プルトニウム（Ｐｕ）の単体となってそのデブリ３１内に析出する。
そして、その還元電圧が切られると、そのプルトニウム（Ｐｕ）の単体は、その水１９の中で酸素と反応して後、配位子と結合して電荷を持つ錯体になり、その水１９の中に溶け出す。【００１６】  上述のように、この出願の基本原理は、そのデブリ３１に含まれるウラン（Ｕ），プルトニウム（Ｐｕ）の酸化物、炭化物、窒化物に電圧をかけて電荷を与える還元工程とその電圧を切って錯体にする溶解工程とを含み、そして、その錯体を含んで取り出される水溶液をモニターしながらその錯体がその水溶液中にネグリジブスモールになるまでその還元工程および溶解工程を繰り返すところにある。
そのモニターは、その取り出した水溶液に溶け込んでいるウラニルイオン、プルトニウムの錯体から発せられる放射線を測定することで、例えば、半導体検出器で行われる。【００１７】  上述に基づいて、原子力発電所の事故で原子炉圧力容器１１内に生成したデブリ３１に活用されるところのこの出願の放射性物質の除去方法１０を具体的に説明する。
この出願発明の放射性物質の除去方法の具体例１０は、図１に示すように、原子力発電所の事故で、デブリ３１が原子炉圧力容器１１の底部１２に止まり、その原子炉圧力容器１１が、給水口１３から供給される水１９で冷却されているので、還元電圧回路１６がその原子炉圧力容器１１に電気的に接続されて実施される。
そして、そのような環境で、最初に、還元工程が、次に、溶解工程が、モニターしながらその錯体が、冷却水出口１４から排水側に取り出される水溶液中にネグリジブスモールになるまで繰り返される。【００１８】  その還元工程では、スイッチ（図示せず）を入れ、その還元電圧回路１６に通電してその圧力容器１１に数ボルトの直流電圧をかけ、ウラン（Ｕ）、プルトニウム（Ｐｕ）の酸化物、炭化物、窒化物に電子を与えてそのウラン（Ｕ）、プルトニウム（Ｐｕ）の単体としてそのデブリ３１内に析出させる。【００１９】  次に、その溶解工程では、そのスイッチを切り、その還元電圧回路１６に通電を止め、そのウラン（Ｕ）の単体をその水１９と反応させてウラニルイオン（ＵＯ２２＋）の錯体に、同時に、そのプルトニウム（Ｐｕ）の単体をその水１９の中で酸素と反応して後、配位子と結合して電荷を持つ錯体にそれぞれなしてその水１９の中に溶け込ませ、そして、冷却水出口１５からその水溶液をその圧力容器１１の排水側に取り出す。【００２０】  そして、その最初の還元工程、次の溶解工程が、半導体検出器（図示せず）でそのウラニルイオン（ＵＯ２２＋）、プルトニウムの錯体から発せられる放射線を測定しながらその冷却水出口１５から排水側に取り出される水溶液中にネグリジブスモールになるまで繰り返してそのウラニルイオン（ＵＯ２２＋）、プルトニウムの錯体を取り除く。【００２１】  その圧力容器１１の排水側に取り出されるその水溶液は、析出水槽（図示せず）に送られ、そして、そこで、金属廃棄物の電気化学的処理同様に電気化学的に析出処理される。そこでは、勿論、電極の交換作業や他の種々の作業は遠隔操作で行われる。
そのように、還元電圧回路１６が、その原子炉圧力容器１１に電気的に接続されたが、この還元電圧回路１６は、可能な場合で、具体的にはその原子炉圧力容器１１の状態に応じて可能になる場合で、そのデブリ３１に電気的に接続されてもかまわない。その場合、その還元電圧回路１６は電極を介してそのデブリ３１に電気的に接続されるのが望ましい。【００２２】  上述されたように、この出願の発明、放射性物質の除去方法１０では、そのデブリ３１に含まれるウラン（Ｕ）、プルトニウム（Ｐｕ）の酸化物、炭化物、窒化物が、その最初の還元工程で直流電圧をかけられ、電子を与えられて、ウラン（Ｕ）、プルトニウム（Ｐｕ）の単体になってそのデブリ３１に析出され、そして、その次にその溶解工程でその直流電圧が切られ、そのウラン（Ｕ）の単体が、その水１９と反応してウラニルイオンの錯体に、そのプルトニウム（Ｐｕ）の単体が、その水１９の中で酸素と反応して後、配位子と結合して電荷を持つ錯体にそれぞれなり、その水１９の中に溶け込み、排水側に取り出される水溶液をモニターしながらその錯体から発せられる放射線がネグリジブスモールになるまでその還元工程、溶解工程を適宜に繰り返してそのデブリ３１からそのウラニルイオン（ＵＯ２２＋）の錯体、プルトニウムの錯体を取り除くので、事故を起こした原子炉の廃炉作業が多くの困難を伴わずに安全で迅速にできて経済的になり、そのウラン（Ｕ）の錯体、プルトニウム（Ｐｕ）の錯体を金属単体に電気的に析出処理可能になり、また、そのデブリ３１に残る金属も金属廃棄物同様に処理可能になり、そのデブリ３１そのものがコンクリート・ブロックのような塊にでき、その結果、そのデブリ３１に含まれる放射性物質を取り除くのに実用になって有用である。
【実施例２】
【００２３】  図２は、原子力発電所の事故で原子炉がメルトダウンして原子炉圧力容器の底を突き破って外に止まる炉心溶融物（デブリ）３２に活用されるところのこの発明の放射性物質の除去方法の具体例２０を示す。
この放射性物質の除去方法２０では、そのデブリ３２は、ウラン（Ｕ）、プルトニウム（Ｐｕ）、の酸化物（ＵＯ、ＰｕＯ）、炭化物（ＵＣ、ＰｕＣ）、窒化物（ＵＮ、ＰｕＮ）からなる放射性物質を核燃料に用いる核燃料集合体と炉心構造物の溶融物にコンクリートが混ざって固化した塊で、このデブリ３２の主成分は、ウラン（Ｕ）とジルコニウム（Ｚｒ）の酸化物（セラミック、（ＵＺｒ）Ｏ２）、炉心構造物の金属、およびコンクリートである。
このデブリ３２は、前述のデブリ３１同様に放射性物質のウラン（Ｕ）、プルトニウム（Ｐｕ）を含むので、その放射性物質が取り除ければ、後はこのデブリ３２も、金属廃棄物同様に処理可能になる。【００２４】  この場合、そのデブリ３２は、原子炉圧力容器の底を突き破って外に止まるので、予め、金属容器２１が準備される。
その金属容器２１は鋼製で、容器本体２２と蓋２３で構成され、そして、その容器本体２２は、底にデブリ・ポケット２６を開口し、容器側壁２５の上方部分に給水口２８を、そのデブリ・ポケットの側壁２７に水溶液取出し口２９をそれぞれ備え、そして、容器上方部分から容器内に水３０を供給可能にし、そして、そのデブリ・ポケット２６の側壁２７の上方部分、すなわち、その取出し口２９から水溶液を取り出す構造に製作される。【００２５】  この金属容器２１は、工場内でコンクリート製土台（図示せず）を用いて地上に設置され、その還元電圧回路１６を電気的に接続し、そして、その給水口２８からその容器本体２２内に水３０を供給しながら、同時に、その水溶液取出し口２９からそのデブリ・ポケット２６の外に水３０を取り出しながらその水３０を適宜に満たす状態を保っているところのその容器本体２２にそのデブリ３２を入れ、そして、最初に還元工程が、次に、溶解工程が、モニターしながら錯体が、そのデブリ・ポケット２６から取り出される水溶液にネグリジブスモールになるまで繰り返される。【００２６】  最初に、その還元工程では、スイッチ（図示せず）を入れ、その還元電圧回路１６に通電してその金属容器２１に数ボルトの直流電圧をかけ、ウラン（Ｕ）、プルトニウム（Ｐｕ）の酸化物、炭化物、窒化物を還元し、そして、そのウラン（Ｕ）、プルトニウム（Ｐｕ）の単体としてそのデブリ３２内に析出させる。【００２７】  次に、その溶解工程では、そのスイッチを切り、その還元電圧回路１６に通電を止め、そのウラン（Ｕ）の単体をその水３０と反応させてウラニルイオン（ＵＯ２２＋）の錯体に、そのプルトニウムの単体をその水３０の中で酸素と反応して後、配位子と結合して電荷を持つ錯体にそれぞれなして、その水３０の中に溶け込ませ、そして、その水溶液をその取出し口２９からそのデブリ・ポケット２６の外に取り出す。【００２８】  そして、その最初の還元工程、次の溶解工程が、半導体検出器（図示せず）でそのウラニルイオン（ＵＯ２２＋）の錯体、プルトニウムの錯体から発せられる放射線を測定しながらその水溶液中にネグリジブスモールになるまで繰り返してそのウラニルイオン（ＵＯ２２＋）の錯体、プルトニウムの錯体を取り除く。【００２９】  その水溶液は、拡散されずにほぼそのままの状態でその取出し口２９からそのデブリ・ポケット２６の外に取り出され、そして、析出水槽（図示せず）に送られ、そこで金属廃棄物の電気化学的処理同様に電気化学的に析出処理される。勿論、そこでは、電極の交換作業や他の種々の作業は遠隔作業で行われる。
そのように、その還元電圧回路１６が、その金属容器２１に電気的に接続されたが、この還元電圧回路１６は、そのデブリ３２に電気的に接続されてもかまわない。その場合、その還元電圧回路１６は電極を介してそのデブリ３２に電気的に接続されるのが望ましい。【００３０】  上述のように、この出願発明の放射性物質の除去方法２０では、デブリ３２に含まれるウラン（Ｕ）、プルトニウム（Ｐｕ）の酸化物、炭化物、窒化物が、その最初の還元工程で直流電圧をかけられ、電子を与えられてウラン（Ｕ）、プルトニウム（Ｐｕ）の単体になってそのデブリ３２内に析出され、そして、その次の溶解工程でその直流電圧が切られ、そのウラン（Ｕ）の単体が、その水３０と反応してウラニルイオンの錯体に、そのプルトニウム（Ｐｕ）の単体が、その水３０の中で酸素と反応して後、配位子と結合して電荷を持つ錯体にそれぞれなり、その水３０の中に溶け込み、その水溶液がその取出し口２９を通ってそのデブリ・ポケット２６から取り出され、そして、析出水槽（図示せず）に流れる際、その水溶液をモニターしながらその錯体から発せられる放射線がネグリジブスモールになるまで、その還元工程および溶解工程を繰り返してそのデブリ３２からそのウラニルイオン（ＵＯ２２＋）の錯体、プルトニウムの錯体を取り除くので、事故を起こした原子炉の廃炉作業が、そのデブリ３２をその金属容器２１に搬入する作業を除いてその還元工程および溶解工程では、多くの困難を伴わずに安全で迅速にできて経済的になり、そのウラン（Ｕ）の錯体、プルトニウム（Ｐｕ）の錯体を金属単体に電気化学的に析出処理可能になり、また、そのデブリ３２に残る金属も金属廃棄物同様に処理可能になり、そのデブリ３２そのものがコンクリート・ブロックのような塊になり、その結果、そのデブリ３２に含まれる放射性物質、ウラン（Ｕ）、プルトニウム（Ｐｕ）を取り除くのに実用になって有用である。【００３１】  先に図面を参照して説明されたところのこの発明の特定された具体例から明らかであるように、この発明の属する技術の分野における通常の知識を有する者（ａ  ｐｅｒｓｏｎ  ｈａｖｉｎｇ  ｏｒｄｉｎａｒｙ  ｓｋｉｌｌ  ｉｎ  ｔｈｅ  ａｒｔ、しかし、ａｎｙ  ｐｅｒｓｏｎ  ｓｋｉｌｌｅｄ  ｉｎ  ｔｈｅ  ａｒｔではなくて）にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００３２】  上述から理解されるように、この発明の放射性物質の除去方法は、炉心溶融物（デブリ）が、原子力発電所の事故で容器底部に止まる原子炉圧力容器または、可能な場合でそのデブリに還元電圧回路を電気的に接続するところで、最初に、その還元電圧回路に通電してその圧力容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すので、この発明の放射性物質の除去方法では、放射性物質が原子力発電所の事故で生成した炉心溶融物（デブリ）から錯体として水に溶け込ませられて取り除かれ、そして、錯体を電気化学的に析出させて処理可能にされ、廃炉作業が多くの困難を伴わずに安全して迅速にでき、また、そのデブリに残る金属が金属廃棄物同様に電気化学的析出により処理可能になり、その結果、そのデブリの除去に実用になって有用である。【００３３】  また、この発明の放射性物質の除去方法は、金属容器が、予め還元電圧回路を電気的に接続し、そして、水を供給取り出しながら炉心溶融物（デブリ）を入れてあるまたはそのデブリが、その金属容器の水の中に入れられてその還元電圧回路を電気的に接続するところで、最初に、その還元電圧回路に通電してその金属容器またはそのデブリに還元電圧をかけ、ウラン、プルトニウムの酸化物、炭化物、窒化物を還元し、そのウラン、プルトニウムの単体にしてそのデブリに析出させる還元工程と、次に、その還元電圧回路に通電を切り、そのウランの単体が、水と反応してウラニルイオンの錯体に、同時に、そのプルトニウムの単体が、その水の中で酸素と反応して後、配位子と結合して電荷を持つ錯体にそれぞれなり、その水の中に溶け込む溶解工程とを適宜に繰り返しながら水溶液を取り出すので、この発明の放射性物質の除去方法では、事故を起こした原子炉の廃炉作業が、そのデブリをその金属容器に搬入する作業を除いて、その還元工程および溶解工程では、多くの困難を伴わずに安全にして迅速に出来て経済的になり、そのウラニルイオン（ＵＯ２２＋）の錯体、プルトニウムの錯体を金属単体に電気化学的に析出可能になり、また、そのデブリに残る金属も金属廃棄物同様に処理可能になり、そのデブリそのものがコンクリート・ブロックのような塊にできて廃棄処理ができ、その結果、そのデブリに含まれる放射性物質、ウラン（Ｕ）、プルトニウム（Ｐｕ）を取り除くのに実用になって有用である。
【符号の説明】
【００３４】  １０  放射性物質の除去方法
１１  原子炉圧力容器
１２  底部
１３  蓋
１４  給水口
１５  冷却水出口
１６  還元電圧回路
１９  水
２０  放射性物質の除去方法
２１  金属容器
２２  容器本体
２３  蓋
２４  底
２５  容器側壁
２６  デブリ・ポケット
２７  側壁
２８  給水口
２９  水溶液取出し口
３０  水
３１  デブリ
３２  デブリ
【図１】
2019124673.tif 000003
【図２】
2019124673.tif 000004